(57)【特許請求の範囲】
【請求項１】
軸方向に伸縮可能な伸縮体と、
前記伸縮体の軸方向両端にそれぞれ設けられた第１の吸着体および第２の吸着体と、
前記伸縮体の伸縮を固定する固定部材とを備え、
前記第１の吸着体は、磁石体と、前記磁石体による吸着力を変化させる切換手段とを備える被加工物のびびり振動防止治具。
【請求項２】
前記切換手段は、前記磁石体を回動させる操作部材を備える請求項１に記載の被加工物のびびり振動防止治具。
【請求項３】
前記第１の吸着体は、球面軸受を介して前記伸縮体に連結されており、
前記第１の吸着体と前記伸縮体との間にＯリングが介在される請求項１または２に記載の被加工物のびびり振動防止治具。
【発明の詳細な説明】
【技術分野】
【０００１】
本発明は、機械加工における被加工物のびびり振動を防止するための被加工物のびびり振動防止治具に関する。
【背景技術】
【０００２】
被加工物に対して切削等の機械加工を施す場合には、工具から受ける力によって被加工物にいわゆるびびり振動が生じるおそれがあり、騒音の発生や加工精度の低下等の問題を生じるおそれがあることから、この対策が従来から検討されている。例えば、特許文献１には、図７に示すように、頭部５１の端部に磁石５２が設けられたボルト５３と、端部に磁石５４を有し内周面にねじ溝を有する筒状の治具本体５５とを備え、治具本体５５にボルト５３を螺合して、固定ナット５６により所望の長さで固定することができるびびり防止治具５０が開示されている。
【０００３】
このびびり防止治具５０を使用する際には、図７に示すようにボルト５３を治具本体５５に螺合した状態で、図８に示すように、工作機械６０に固定された被加工物７０と、工作機械６０の搬送台６１に載置された角マス６２との間に挿入し、治具本体５５の磁石５４を角マス６２に吸着固定する。ついで、ボルト５３を回転させてびびり防止治具５０の全長を伸ばし、磁石５２を被加工物７０に吸着固定する。この後、固定ナット５６を締め付けることにより、びびり防止治具５０を、角マス６２と被加工物７０との間に固定することができる。
【先行技術文献】
【特許文献】
【０００４】
【特許文献１】特開２００８−８７１３８号公報
【発明の概要】
【発明が解決しようとする課題】
【０００５】
上記従来のびびり防止治具５０は、両端に配置された磁石５２，５４が被加工物７０および角マス６２にそれぞれ強固に吸着するため、被加工物７０の上下双方向の撓みを防止することができ、加工中の被加工物７０のびびり振動を抑制することができる。
【０００６】
ところが、びびり振動を確実に防止するため磁石５２，５４の磁力を強力にすると、びびり防止治具５０が角マス６２や被加工物７０に不意に吸着し易くなって、被加工物７０に対するびびり防止治具５０の位置決めが困難になるおそれがあり、更に、びびり防止治具５０の位置を微調整する際には、ボルト５３の螺合による被加工物７０からの磁石５２の取り外しが困難であるため、作業性が悪いという問題があった。
【０００７】
そこで、本発明は、被加工物のびびり振動を容易且つ確実に防止することができる被加工物のびびり振動防止治具の提供を目的とする。
【課題を解決するための手段】
【０００８】
本発明の前記目的は、軸方向に伸縮可能な伸縮体と、前記伸縮体の軸方向両端にそれぞれ設けられた第１の吸着体および第２の吸着体と、前記伸縮体の伸縮を固定する固定部材とを備え、前記第１の吸着体は、磁石体と、前記磁石体による吸着力を変化させる切換手段とを備える被加工物のびびり振動防止治具により達成される。
【０００９】
この被加工物のびびり振動防止治具において、前記切換手段は、前記磁石体を回動させる操作部材を備えることが好ましい。
【００１０】
また、前記第１の吸着体は、球面軸受を介して前記伸縮体に連結されていることが好ましく、前記第１の吸着体と前記伸縮体との間にＯリングが介在されることが好ましい。
【発明の効果】
【００１１】
本発明に係る被加工物のびびり振動防止治具によれば、被加工物のびびり振動を容易且つ確実に防止することができる。
【図面の簡単な説明】
【００１２】
【図１】本発明の第１の実施形態に係る被加工物のびびり振動防止治具の側面図である。
【図２】図１に示す被加工物のびびり振動防止治具の断面図である。
【図３】図１に示す被加工物のびびり振動防止治具の要部を示す概略構成図である。
【図４】図３に示す被加工物のびびり振動防止治具の要部の作動を説明するための概略構成図である。
【図５】本発明の第２の実施形態に係る被加工物のびびり振動防止治具の断面図である。
【図６】本発明の第３の実施形態に係る被加工物のびびり振動防止治具の断面図である。
【図７】従来のびびり振動防止治具の側面図である。
【図８】図７に示すびびり振動防止治具の使用状態を示す斜視図である。
【発明を実施するための形態】
【００１３】
以下、本発明の実施の形態について、添付図面を参照して説明する。図１および図２は、本発明の第１の実施形態に係る被加工物のびびり振動防止治具の側面図および断面図である。図１および図２に示すように、被加工物のびびり振動防止治具１は、軸線Ｌ方向に伸縮可能な伸縮体１０と、伸縮体１０の軸線Ｌ方向の両端にそれぞれ設けられた第１の吸着体２０および第２の吸着体３０と、伸縮体１０の伸縮を固定する固定部材４０とを備えている。
【００１４】
伸縮体１０は、第１の筒状体１１と、第２の筒状体１２とを備えている。第１の筒状体１１は、先端が球面軸受１３を介して第１の吸着体２０に連結されており、球面軸受１３を中心として全方向に回動自在となるように支持されている。第１の筒状体１１と第１の吸着体２０との間には、球面軸受１３を取り囲むようにＯリング１４が介在されている。Ｏリング１４は、第１の筒状体１１の先端近傍の外周面から外方に張り出す鍔部１１ａに保持されている。第１の筒状体１１の基端側は、第２の筒状体１２の内部に入れ子式に挿入されることにより、伸縮体１０が伸縮する。
【００１５】
第２の筒状体１２は、先端に第２の吸着体３０が一体的に形成されている。  第２の筒状体１２の外周面にはネジ部１２ａが形成され、ネジ部１２ａから基端に向けてテーパ部１２ｂが設けられており、ナットからなる固定部材４０がネジ部１２ａに螺合する。テーパ部１２ｂは、放射状に形成されたスリットにより周方向に複数に分割されており、固定部材４０の締結により押圧されて縮径し、第１の筒状体１１を固定する。
【００１６】
第１の筒状体１１および第２の筒状体１２の内部には、コイルばね等からなるバネ部材１５が挿入されている。バネ部材１５は、一端側が第１の筒状体１１の内周面に形成された係止部１１ｂに係止され、他端側が第２の吸着体３０の内面に当接しており、伸縮体１０を縮めた状態から伸長させる方向に付勢する。
【００１７】
第１の吸着体２０は、軸線Ｌ方向の先端に吸着部２１を有するマグネットベースからなり、吸着部２１における吸着のオンオフを切り換える切換手段としての操作部材２２を備えている。
【００１８】
図３は、第１の吸着体２０の概略構成図である。図３に示すように、第１の吸着体２０は、径方向に着磁された円柱状の永久磁石からなる磁石体２３と、磁石体２３を保持するケーシング２４とを備えている。磁石体２３は、操作部材２２（図１および図２参照）に連結されており、操作部材２２の回動操作により、ケーシング２４内において回動させることができる。ケーシング２４は、鉄などの磁性材料からなる一対のブロック２５，２６の間に非磁性体２７，２８を介在させて構成されており、一方の非磁性体２８側に吸着部２１が形成されている。
【００１９】
このように構成された第１の吸着体２０は、図３に示すように、磁石体２３のＮ極およびＳ極がそれぞれ非磁性体２７，２８に対向する状態では、磁石体２３の磁力線Ｍ１が一対のブロック２５，２６の一方のみを通過し、各ブロック２５，２６内に閉じ込められるため、吸着部２１に当接する磁性体（図示せず）との間に生じる磁力は非常に小さなものとなる。一方、図３に示す磁石体２３を矢示方向に９０°回動させると、図４に示すように、磁力線Ｍ２が一対のブロック２５，２６の双方を通過するようになり、吸着部２１に当接する磁性体（図示せず）との間に強い磁力が生じる。こうして、操作部材２２の操作による磁石体２３の回動により、吸着部２１における吸着力を変化させることができる。
【００２０】
第２の吸着体３０は、図２に示すように、軸線Ｌ方向の先端に、浅い凹部からなる吸着部３１が形成されている。吸着部３１は、周囲がＯリング３２に取り囲まれており、連通路３３を介して吸引装置の吸引管Ｖに接続することにより、内部を負圧にして被吸着体（図示せず）を吸着することができる。
【００２１】
上記の構成を備える被加工物のびびり振動防止治具１は、従来のものと同様に、例えば図８に示す角マス６２と被加工物７０との間に介在させて使用することができる。びびり振動防止治具１は、予め操作部材２２の操作により第１の吸着体２０の吸着をオフにすると共に、固定部材４０を緩めておく。そして、伸縮体１０をバネ部材１５の付勢力に抗して縮めた状態で、びびり振動防止治具１を、第１の吸着体２０が下方となるように角マス６２と被加工物７０との間に介挿する。伸縮体１０はバネ部材１５の付勢力により伸長し、第１の吸着体２０の吸着部２１が角マス６２の上面に当接すると共に、第２の吸着体３０の吸着部３１が被加工物７０の下面に当接する。
【００２２】
ついで、びびり振動防止治具１を角マス６２の上面に沿って移動させ、所望の位置で吸引装置（図示せず）を作動させて第２の吸着体３０による吸引を開始し、第２の吸着体３０を被加工物７０に吸着固定する。この後、操作部材２２の操作により第１の吸着体２０の吸着をオンにして、吸着部２１を角マス６２に磁力により吸着させる。最後に、固定部材４０を締結して、伸縮体１０の長さを固定する。こうして、びびり振動防止治具１を、角マス６２と被加工物７０との間に強固に固定することができ、被加工物７０の加工中におけるびびり振動を抑制することができる。本実施形態においては、第２の吸着体３０を被加工物７０に固定した後に第１の吸着体２０を角マス６２に固定しているが、先に第１の吸着体２０を角マス６２に固定してから、第２の吸着体３０を被加工物７０に固定してもよい。
【００２３】
本実施形態の被加工物のびびり振動防止治具１は、操作部材２２の操作により磁石体２３を回動させて、第１の吸着体２０の吸着部２１における吸着力を変化させることができるので、吸着部２１の吸着をオンからオフに切り換えることにより、被加工物７０に対する位置決めや吸着後の取り外しを容易に行うことができ、作業性を向上させることができる。
【００２４】
また、第１の吸着体２０は、球面軸受１３を介して伸縮体１０に連結されているので、被加工物７０に歪みが生じている場合にも、伸縮体１０が球面軸受１３を中心として回動することにより、被加工物７０の歪みに第１の吸着体２０を容易に追従させることができる。また、伸縮体１０と第１の吸着体２０との間に介在されたＯリング１４が、伸縮体１０の回動に伴い弾性変形することにより、びびり振動防止治具１の取り付けを確実に行うことができる。
【００２５】
以上、本発明の一実施形態について詳述したが、本発明の具体的な態様は上記実施形態には限定されない。例えば、本実施形態においては、伸縮体１０を構成する第１の筒状体１１および第２の筒状体１２の内部にバネ部材１５を挿入し、バネ部材１５の付勢力により伸縮体１０を伸長させることで、伸縮体１０の長さ調整を迅速容易に行うことができるように構成しているが、バネ部材１５を使用せずに、図５に示すように第１の筒状体１１の外周面にネジ部１１ｃを形成し、第２の筒状体１２の内周面との螺合により伸縮体１０の伸縮長さを調整できるように構成してもよい。
【００２６】
また、本実施形態においては、第２の吸着体３０を真空吸着方式にすることで、ステンレス等の非磁性材料からなる被吸着物に対しても確実に吸着可能となるように構成しているが、図６に示すように、第２の吸着体３０’の吸着部３１’に永久磁石からなる磁石体３４’を備える構成であってもよい。なお、図５および図６において、図２と同様の構成部分には、同一の符号を付している。図６に示す構成の被加工物のびびり振動防止治具は、吸着のオンオフの切り換えが可能な第１の吸着体２０が、被加工物に吸着するように配置することが好ましい。
【符号の説明】
【００２７】
１  被加工物のびびり振動防止治具
１０  伸縮体
１３  球面軸受
１４  Ｏリング
２０  第１の吸着体
２１  吸着部
２２  操作部材
２３  磁石体
３０  第２の吸着体
【要約】
【課題】  被加工物のびびり振動を容易且つ確実に防止することができる被加工物のびびり振動防止治具を提供する。
【解決手段】  軸方向に伸縮可能な伸縮体１０と、伸縮体１０の軸方向両端にそれぞれ設けられた第１の吸着体２０および第２の吸着体３０と、伸縮体１０の伸縮を固定する固定部材４０とを備え、第１の吸着体２０は、磁石体と、吸着部２１における磁石体の磁力を変化させる切換手段２２とを備える被加工物のびびり振動防止治具１。
【選択図】  図１【図１】
0005868534.tif 000002
【図２】
0005868534.tif 000003
【図３】
0005868534.tif 000004
【図４】
0005868534.tif 000005
【図５】
0005868534.tif 000006
【図６】
0005868534.tif 000007
【図７】
0005868534.tif 000008
【図８】
0005868534.tif 000009